(57)【特許請求の範囲】
【請求項１】
ドア本体または壁の下部に設けた補助開口部と、この補助開口部の端縁に固定する所定内法寸法を有する補助開口枠体と、この補助開口枠体に内側にはね上げ回動できるようヒンジ連結した補助ウイングと、この補助ウイングをドア内側から解錠可能に施錠するよう前記補助開口枠体および前記補助ウイングに設けた補助ウイング施錠手段と、前記内側はね上げ式の補助ウイングの周囲に、展開した状態で宅配荷物を収容する収容スペースの少なくとも三方を包囲する遮蔽手段とを具え、住人が宅配荷物を受け取るまたは宅配業者が集荷するための取り出し構造において、
前記補助ウイング施錠手段は、認証解錠手段により解錠可能、また配送または集荷作業後に自動的に施錠可能とし、
前記遮蔽手段を、
前記補助開口枠体の両側の側方端縁にヒンジ連結した１対の側面折り畳みパネルと、
これら側面折り畳みパネルの双方にヒンジ連結した前面パネルと、
前記補助開口枠体の上側端縁にヒンジ連結し、前記遮蔽手段の展開状態では、前記側面折り畳みパネルおよび前面パネルを展開状態に保持しかつ前記収容スペースの上方をカバーするカバーパネルであって、非展開状態の前記側面折り畳みパネルおよび補助開口枠体に接近した前面パネルをカバーする状態に保持する該カバーパネルと
により構成し、
前記補助開口部は、非常時に少なくとも一般成人の胴体が通過できる寸法にし、ドア本体に対する前記補助開口枠体の連結を非常時に迅速解離可能に連結する迅速解離連結手段によって行い、この連結手段の解離により、前記補助開口枠体およびこの補助開口枠体に取り付けた前記補助ウイングおよび遮蔽手段をドア本体から解離して、緊急非常時の脱出口を生ずるよう構成し、
前記迅速解離連結手段は、補助ウイングの補助開口枠体における上方端縁のヒンジ部に摺動可能に収容した互いに対向する１対のヒンジピンと、これらヒンジピンの互いに対向する側の対向端部間に配置し、これらヒンジピンの対向端部とは反対側の端部部分を、前記補助開口枠体に貫通させ補助開口部におけるドア本体または壁に設けたヒンジ受けの孔に収容させるようばね伸張するばね押圧手段を有するくさび手段と、前記ばね押圧手段のばね伸張を収縮させ、くさび手段としての作用を無効にするくさび解除手段と、により構成し、平素くさび手段の作用により前記ヒンジピンの前記反対側端部を、前記補助開口枠体に貫通させてドア本体もしくは玄関ドア近傍の壁に設けた孔内に押し込んで前記補助ウイングを支持し、緊急非常時にはくさび解除手段を操作して前記ヒンジピンの前記反対側端部をヒンジ受けの孔から抜去することにより、補助ウイングもろとも前記補助開口枠体を、前記ドア本体または壁から迅速に解離可能にした
ことを特徴とする宅配荷受け出し構造。
【請求項２】
請求項１記載の宅配荷受け出し構造において、前記補助ウイングまたは別の箇所に、荷物授受票を発行する荷物授受票発行手段を設け、この荷物授受票発行手段は補助ウイング施錠手段と連動し、前記荷物授受票を発行した後に前記補助ウイング施錠手段を施錠するようにした宅配荷受け出し構造。
【請求項３】
請求項１記載の宅配荷受け出し構造において、前記補助ウイングに、チラシ、授受票、郵送物等を投入する投函スロットと、通常この投函スロットを塞ぐよう上方に回動可能に補助ウイングに連結したスロットカバーと、投函物収納部とを設けた宅配荷受け出し構造。
【請求項４】
前記遮蔽手段を、はね上げ式補助ウイングの開放動作に連係動作可能とした請求項１〜３のうちいずれか一項に記載の宅配荷受け出し構造。
【請求項５】
前記補助ウイング施錠手段を、携帯電話受信式もしくはカード式もしくは赤外線リモコン式もしくはテンキー式の電子施錠手段、または手動ダイヤル式の施錠手段とした請求項１〜４のうちのいずれか一項に記載の宅配荷受け出し構造。
【請求項６】
前記電子式補助ウイング施錠手段は、解錠して補助ウイングを開けた後に閉めたとき、所定時間経過後、自動的に施錠するようプログラムしたものとして構成した請求項５記載の宅配荷受け出し構造。
【請求項７】
ドア本体または補助ウイングの不正開放行為を検知するセンサを、前記ドア本体の補助開口部または前記補助開口枠体または前記電子式補助ウイング施錠手段に設け、このセンサがドア不正開放行為を検知したときアラームを発生する警報手段を設けた請求項１〜６のうちのいずれか一項に記載の宅配荷受け出し構造。
【発明の詳細な説明】
【技術分野】
【０００１】
本発明は、玄関ドアまたは脇壁または屋外の塀に設ける宅配荷受け出し構造、また特に、玄関ドアに設ける場合には、地震等の非常時に戸内から戸外へ脱出できる脱出口にもなり得る宅配荷受け出し構造に関するものである。本明細書における「玄関ドア」は、ビルオフィス、集合住宅、もしくは戸建て住居等の玄関ドアまたはホテル等の部屋ドアを意味するものとする。
【背景技術】
【０００２】
玄関ドアは、これまで、一般的に戸内と戸外との間における出入りを仕切る開閉及び施錠機能のみを考慮して作られているが、郵便受けまたは非常時脱出口またはその双方を設けたドアもある。郵便受けおよび非常時脱出口の双方を設けるものとしては、例えば、特許文献１に記載のものがある。
【特許文献１】特開２００４‐１３７８６６号公報
【０００３】
しかし、この従来例は、ドアに、郵便受け開口部分および脱出用開口部分をそれぞれ個別に設けただけのものであり、不在時に宅配業者から宅配荷物を受け取ることができる構造は存在しなかったため、本願人は、特願２００６−２５３２４号で、宅配荷物受取可能な開口部を設け、また地震の際に建て付けがゆがんで玄関ドアを開けることができないというような非常事態が発生したときに、この宅配荷物受取可能な開口部を利用し、確実に戸内から戸外に脱出できるようにしたドア構造で提案した。
【発明の開示】
【発明が解決しようとする課題】
【０００４】
しかし、本願人の先願発明である特願２００６−２５３２４号に記載の宅配荷受け構造は、機構が複雑であり、コストがかかるという難点があった。また、この本願人による先願発明は、チラシ、授受票、郵送物等も受け取ることを考慮していなかった。
【０００５】
したがって、本発明の課題は、本願人の先願である特願２００６−２５３２４号に記載の宅配荷受け構造を改善し、構造簡単かつ安価であり、動作の信頼性が高い、しかもセキュリティを向上する宅配荷受け出し構造を得るにある。
【０００６】
さらに、本発明の課題は、同一開口部内に、チラシ、授受票、郵送物等も受け取ることができる宅配荷受け出し構造を得るにある。
【課題を解決するための手段】
【０００７】
この目的を達成するため、本発明は、玄関ドアまたは壁における、ドア本体または壁の下部に設けた補助開口部と、この補助開口部の端縁に固定する所定内法寸法を有する補助開口枠体と、この補助開口枠体に内側にはね上げ回動できるようヒンジ連結した補助ウイングと、この補助ウイングをドア内側から解錠可能に施錠するよう前記補助開口枠体および前記補助ウイングに設けた補助ウイング施錠手段と、前記内側はね上げ式の補助ウイングの周囲に、展開した状態で宅配荷物を収容する収容スペースの少なくとも三方を包囲する遮蔽手段とを具え、住人が宅配荷物を受け取るまたは宅配業者が集荷するための取り出し構造において、
前記補助ウイング施錠手段は、認証解錠手段により解錠可能、また配送または集荷作業後に自動的に施錠可能とし、
前記遮蔽手段を、
前記補助開口枠体の両側の側方端縁にヒンジ連結した１対の側面折り畳みパネルと、
これら側面折り畳みパネルの双方にヒンジ連結した前面パネルと、
前記補助開口枠体の上側端縁にヒンジ連結し、前記遮蔽手段の展開状態では、前記側面折り畳みパネルおよび前面パネルを展開状態に保持しかつ前記収容スペースの上方をカバーするカバーパネルであって、非展開状態の前記側面折り畳みパネルおよび補助開口枠体に接近した前面パネルをカバーする状態に保持する該カバーパネルと
により構成し、
前記補助開口部は、非常時に少なくとも一般成人の胴体が通過できる寸法にし、ドア本体に対する前記補助開口枠体の連結を非常時に迅速解離可能に連結する迅速解離連結手段によって行い、この連結手段の解離により、前記補助開口枠体およびこの補助開口枠体に取り付けた前記補助ウイングおよび遮蔽手段をドア本体から解離して、緊急非常時の脱出口を生ずるよう構成し、
前記迅速解離連結手段は、補助ウイングの補助開口枠体における上方端縁のヒンジ部に摺動可能に収容した互いに対向する１対のヒンジピンと、これらヒンジピンの互いに対向する側の対向端部間に配置し、これらヒンジピンの対向端部とは反対側の端部部分を、前記補助開口枠体に貫通させ補助開口部におけるドア本体または壁に設けたヒンジ受けの孔に収容させるようばね伸張するばね押圧手段を有するくさび手段と、前記ばね押圧手段のばね伸張を収縮させ、くさび手段としての作用を無効にするくさび解除手段と、により構成し、平素くさび手段の作用により前記ヒンジピンの前記反対側端部を前記補助開口枠体に貫通させてドア本体もしくは玄関ドア近傍の壁に設けた孔内に押し込んで前記補助ウイングを支持し、緊急非常時にはくさび解除手段を操作して前記ヒンジピンの前記反対側端部をヒンジ受けの孔から抜去することにより、補助ウイングもろとも前記補助開口枠体を、前記ドア本体または壁から迅速に解離可能にした
ことを特徴とする。
【発明の効果】
【０００８】
本発明宅配荷受け出し構造によれば、住人が留守をする場合、遮蔽手段を展開して外出する。認証された宅配業者または郵便局員は、予め通知されている電子施錠手段の認証解錠手段、例えば解錠用認証コード等により、電子施錠手段を解錠し、補助ウイングを開けて宅配荷物、または郵便小包を戸内に投入する、または戸内の遮蔽手段の下方に置かれている発送荷を宅配業者が集荷する。配送または集荷作業の終了後、補助ウイングは自動的に施錠される。
さらに、本発明宅配荷受け出し構造によれば、火災や地震のような非常時にドアの施錠手段が万一故障したとしても、補助開口枠体及びこの補助開口枠体にヒンジ連結した補助ウイング自体を、ドア本体または壁から解離し、ドア本体または壁の補助開口部自体が緊急脱出口となる。
【０００９】
本発明によれば、宅配荷物、または郵便小包等の再配達の手間が省け、再配達にかかる人件費及び燃料代が節約でき、経済効果が高くなる。
【００１０】
さらに、本発明宅配荷受け出し構造によれば、遮蔽手段は、前面および両側側面の三方だけでなく、頂面も遮蔽するので、宅配業者または郵便局員に戸内の様子を覗かれる心配がなく、セキュリティを向上する。本発明は、玄関ドアまたは脇壁だけでなく、屋外のブロック、コンクリート、格子塀等の外塀にも適用でき、さらに、玄関近くの敷地内にコンクリートで基礎を固めたポールに郵便ポストのようなユニットとして設けることもできる。
【発明を実施するための最良の形態】
【００１１】
本発明の好適な実施形態においては、前記補助ウイングまたは別の箇所に、荷物授受票を発行する荷物授受票発行手段を設け、この荷物授受票発行手段は補助ウイング施錠手段と連動し、前記荷物授受票を発行した後に前記補助ウイング施錠手段を施錠するよう構成する。この実施例によれば、作業の確認および施錠動作が確実になる。
【００１２】
本発明のさらに好適な実施形態においては、前記補助ウイングに、チラシ、授受票、郵送物等を投入する投函スロットと、通常この投函スロットを塞ぐよう上方に回動可能に補助ウイングに連結したスロットカバーと、投函物収納部とを設ける。この実施形態によれば、宅配荷物だけでなく、認証解錠手段を持たない人員は、補助ウイングを解錠することなく、投函スロットからチラシ、授受票、郵送物等を投函でき、住人もこれらを受け取ることができる。
【００１４】
本発明の好適な実施形態においては、補助ウイング施錠手段を、携帯電話受信式もしくはカード式もしくは赤外線リモコン式もしくはテンキー式の電子施錠手段、またはピッキングを受けにくい手動ダイヤル式の施錠手段とする。
【００１５】
また、電子式補助ウイング施錠手段は、解錠して補助ウイングを開けた後に閉めたとき、所定時間経過後、自動的に施錠するようプログラムしたものとして構成すると好適である。
【００１６】
さらにまた、本発明の好適な実施形態においては、ドア本体または補助ウイングの不正開放行為を検知するセンサを、ドア本体の補助開口部または補助開口枠体または電子施錠手段に設け、このセンサがドア不正開放行為を検知したときアラームを発生する警報手段を設ける。この実施例によれば、玄関におけるセキュリティが向上する。
【００１７】
つぎに、図面につき本発明の好適な実施例を説明する。
【実施例１】
【００１８】
図１（ａ）は、本発明による好適な実施例の宅配荷受け出し構造を有する玄関ドア１を示す。図示の実施例によれば、玄関ドア１のドア本体下部に補助開口部２を設ける。この補助開口部２に補助開口枠体３を固定する。この補助開口枠体３の内法寸法は、例えば、非常時に少なくとも一般成人の胴体が通過できる寸法とする。しかし、肥満体の成人がいる家庭の場合、その人が通過できる寸法の補助開口枠体３を用意する。この補助開口枠体３には、図１（ｂ）および（ｃ）に示すように本発明における遮蔽手段１９（図３につき後述する）を取り付ける。図１（ｂ）は遮蔽手段１９を展開した状態を示し、図１（ｃ）は遮蔽手段１９を折り畳んだ状態を示す。
【００１９】
補助開口枠体３の上側端縁に対して、補助ウイング４を回動自在にヒンジ連結する。さらに、補助ウイング４をドア内側から解錠可能に施錠するよう補助開口枠体３及び補助ウイング４に設けた補助ウイング施錠手段５を設ける。この補助ウイング施錠手段５は、認証解錠手段により解錠可能、また配送または集荷作業後に自動的に施錠可能とする。また、住人が在宅の場合、例えば、内側解錠ボタン５Ａにより、補助ウイング施錠手段５を解錠状態にして補助ウイング４を開放し、玄関ドア１を開けなくとも、宅配荷物を受け取れるようにする。
【００２０】
補助ウイング４には、チラシ、授受票、郵送物等を投入する投函スロット７Ａと、通常この投函スロットを塞ぐよう上方に回動可能に補助ウイングに連結したスロットカバー７Ｂと、投函物収納部８とを設けると好適である。この投函物収納部８は、メッシュまたはプレート状の底面を有するものとする。
【００２１】
補助ウイング施錠手段５は、携帯電話受信式もしくはカード式もしくは赤外線リモコン式もしくはテンキー式の電子施錠手段、またはピッキングを受けにくい手動ダイヤル式の施錠手段とすると好適である。補助ウイング施錠手段５が電子式の施錠手段である場合、認証した宅配業者または郵便局に補助ウイング施錠手段の認証解錠手段として、解錠用認証コードを通知しておき、不在時に、認証された宅配業者または郵便局員が補助ウイング施錠手段５を解錠し、補助ウイング４を開けて宅配荷物、または郵便小包を戸内に投入したり、または発送すべき荷物を戸内から取り出し集荷したり、不在受け出しが可能になる。この実施例の場合、補助ウイング施錠手段５は、さらに、補助ウイング４を解錠して受け取った宅配荷物、または郵便小包の授受証明を発行する荷物授受票発行手段９を有するものとして構成すると好適である。この荷物授受票発行手段９は、補助ウイング４に設けることもできるが、図示のように補助ウイング４とは別の箇所に設けることができる。
【００２２】
電子式の補助ウイング施錠手段５は、解錠して補助ウイングを開けた後に閉めたとき、所定時間経過後、自動的に施錠するようプログラムしたものとして構成すると好適であるが、荷物授受票発行手段と連動し、この荷物授受票発行手段が前記荷物授受票を発行した後に、前記補助ウイング施錠手段を施錠するようにすると一層好適である。
【００２３】
玄関ドア１の補助開口部２、または補助開口枠体３、または電子式の補助ウイング施錠手段５には、玄関ドア１のドア本体または補助ウイング４の不正開放行為を検知する不正開放センサ１０を設ける。このセンサ７は、例えば、振動センサまたは音響センサとする。このセンサ１０が、ドア本体１、またはドアノブ１１、またはドアのメインロック１２、または補助ウイング４、または補助ウイング施錠手段５等に対してドア不正開放行為を検知したときアラームを発生する警報手段１３を設ける。
【００２４】
また、セキュリティのため、玄関ドア１のドア・アイ１４は、ＣＣＤカメラ付きのドア・アイとし、遠隔のディスプレイでもモニタできるようにすると好適であり、さらに、場合により（例えば、留守中）、適宜、録画できるようにすると一層好適である。
【００２５】
本発明宅配荷受け出し構造によれば、図２に示す（図３につき後述する遮蔽手段１９を省略して示す）ように、補助ウイング４を補助開口枠体３にヒンジ連結した補助開口枠体３自体を、非常時に迅速解離可能に連結する迅速解離連結手段を介してドア本体下部もしくは壁に設けた補助開口部２に固定すると好適である。この迅速解離連結手段は、例えば、１対のヒンジピン１５Ａ，１５Ｂの中間に介在させた押圧ばね１６により、各ヒンジピン１５Ａ，１５Ｂの非円形端部をドア本体もしくは壁に支持するよう押圧する構成である。この実施例によれば、ヒンジピン１５Ａ，１５Ｂに設けた操作タブ１７Ａ，１７Ｂを掴んで、両側から押圧ばね１６を押し縮めるよう操作し、支持部から引き出すことによりヒンジ連結を解離して、補助ウイング４もろとも補助開口枠体３をドア本体もしくは壁から解離したとき緊急非常時の脱出口を生ずることができる。
【００２６】
さらに、本発明宅配荷受け出し構造によれば、図１（ｂ）に点線で示すように、ドア本体１または壁に設ける補助ウイング４に対して、展開して補助開口部の周囲三方および頂面を包囲する遮蔽手段１９を、補助開口枠体３に取り付ける。この遮蔽手段は、図１の（ｂ）に点線で示すような、補助開口枠体の両側の側方端縁にヒンジ連結しかつ蛇腹式に折り畳み可能な１対の側面折り畳みパネル１９Ａ，１９Ｂと、側面折り畳みパネルの双方にヒンジ連結した前面パネル１９Ｃと、補助開口枠体の上側端縁にヒンジ連結し、遮蔽手段の展開状態では、側面折り畳みパネル１９Ａ，１９Ｂおよび前面パネル１９Ｃを展開状態に、係止手段１８により保持しかつ展開した状態で宅配荷物を収容する収容スペースの上方をカバーするカバーパネル１９Ｄとにより構成する。このカバーパネル１９Ｄは、非展開状態の側面折り畳みパネル１９Ａ，１９Ｂおよび補助開口枠体に接近した前面パネル１９Ｃをカバーする状態に保持する。
【００２７】
図３（ａ）には、遮蔽手段１９の側面折り畳みパネル１９Ａ，１９Ｂを蛇腹式に折り畳み、カバーパネル１９Ｄでカバーした非展開状態の正面図を示す。この折り畳んだ非展開状態からカバーパネル１９Ｄを上方に回動し、側面折り畳みパネル１９Ａ，１９Ｂを手操作によって蛇腹式に展開し、面折り畳みパネル１９Ａ，１９Ｂの上端縁にカバーパネル１９Ｄを載置するとき（図３（ｂ）参照）、側面折り畳みパネル１９Ａ，１９Ｂの展開状態を保持する係止手段１８（図１（ｂ）参照）をカバーパネル１９Ｄに設ける。また、側面折り畳みパネル１９Ａ，１９Ｂは、手操作または係止手段による押さえがない場合にはばね負荷により折り畳み状態に復帰するようにすると好適である。
【００２８】
図３（ａ），（ｂ）に示すように、カバーパネル１９Ｄおよび前面パネル１９Ｃには、内側解錠ボタン５Ａにアクセスでき、また、カバーパネル１９Ｄおよび前面パネル１９Ｃの展開操作を行うことができるようにするための操作孔２０Ｄおよび２０Ｃをそれぞれ設ける。図３の（ｃ）には、遮蔽手段の側面折り畳みパネル１９Ａ，１９Ｂを蛇腹式に折り畳んだ状態を示す。
【００２９】
女性のひとり住まいでは、在宅時でも、宅配業者の配達かどうか不審なとき、玄関ドアをあけずに、本発明荷受け出し構造の遮蔽手段１９を展開し、補助開口部の補助ウイング４を開け、宅配員が投入した荷物を受け取ることもできる。
【００３０】
上述したところは玄関ドアについて説明したが、本発明宅配荷受け出し構造は、玄関ドアのみならず、壁またはあらゆる外塀にも適用できる。ただし、外塀に適用する場合は、補助開口枠体の外塀に対する迅速解離連結手段は不要であり、さらに、屋外の敷地、例えば、生け垣の一環として適用する場合は、図４（ａ），（ｂ）に示すように、基礎をコンクリートで固めたポールＰに郵便ポストのような宅配荷受けユニット２１として設けると好適である。図４（ａ）は遮蔽手段１９を展開した状態を示す線図的斜視図、図４（ｂ）は遮蔽手段１９を折り畳んだ状態を示す
【産業上の利用可能性】
【００３１】
本発明宅配荷受け出し構造は、建設・建築業界において、ビルオフィス、集合住宅、もしくは戸建て住居等の玄関ドアもしくは玄関ドア近傍の壁、または外塀に利用できる。
【図面の簡単な説明】
【００３２】
【図１】（ａ）は、本発明玄関ドアの内側からの線図的正面図であり、（ｂ）は下方部分の線図的縦断面図であり、遮蔽手段のカバーパネルを上方に回動し、側面折り畳みパネルを完全に展開した状態を点線で示す側面図、（ｃ）は側面折り畳みパネルを折り畳み、カバーパネルで前面パネルをカバーした状態を示す側面図である。
【図２】補助開口枠体とドア本体または壁との迅速解離連結手段に関する説明図である。
【図３】本発明による宅配荷受け出し構造の遮蔽手段を示し、（ａ）は遮蔽手段の側面折り畳みパネルを蛇腹式に折り畳み、カバーパネルでカバーした非展開状態を示す正面図、（ｂ）は遮蔽手段の側面折り畳みパネルを展開し、頂面をカバーパネルでカバーした状態を示す平面図、（ｃ）は遮蔽手段の側面折り畳みパネル１９を蛇腹式に折り畳んだ状態を示す平面図である。
【図４】郵便ポストのような宅配荷受けユニットとして構成した実施例の線図的斜視図であり、（ａ）は遮蔽手段を展開した状態を示す線図的斜視図、（ｂ）は遮蔽手段を折り畳んだ状態を示す線図的斜視図である。
【符号の説明】
【００３３】
１      玄関ドア
２      補助開口部
３      補助開口枠体
４      補助ウイング
５      補助ウイング施錠手段
５Ａ      内側解錠ボタン
６      連結手段
６ａ      蝶番プレート
６ｂ      蝶番プレート
７Ａ      投函スロット
７Ｂ      スロットカバー
８      投函物収納部
９      荷物授受票発行手段
１０      不正開放センサ
１１      ドアノブ
１２      メインロック
１３      警報手段
１４      ドア・アイ
15A,15B   ヒンジピン
１６      押圧ばね
17A,17B   操作タブ
１８      係止手段
１９      遮蔽手段
19A,19B   側面折り畳みパネル
１９Ｃ    前面パネル
１９Ｄ    カバーパネル
20C,20D   操作孔
２１      宅配荷受けユニット
Ｐ    ポール
【図１】
0004446103.tif 000002
【図２】
0004446103.tif 000003
【図３】
0004446103.tif 000004
【図４】
0004446103.tif 000005